(57)【要約】【課題】飲料容器において、容易にストローで内容物を飲むことが可能な機構をそなえた飲料容器を提供することを課題とする。【解決手段】シーラント層を有し、紙またはプラスチックフィルムまたはそれらの積層体から構成される容器であって、上部シール部と下部シール部が互いに直交する方向にシールされており、上部シール部の隅には更に上部に突き出た筒状のノズルが設けてあり、該ノズルの内側にはストローが固定されており、ノズルを破壊、開封してストロー吸い口部を露出させることができ、反対側のストロー先端は容器底部に達していることを特徴とするストロー付き飲料容器である。【選択図】図１
2016150748.tif 000002
【特許請求の範囲】
【請求項１】
シーラント層を有し、紙またはプラスチックフィルムまたはそれらの積層体から構成される容器であって、上部シール部と下部シール部が互いに直交する方向にシールされており、上部シール部の隅には更に上部に突き出た筒状のノズルが設けてあり、該ノズルの内側にはストローが固定されており、ノズルを破壊、開封してストロー吸い口部を露出させることができ、反対側のストロー先端は容器底部に達していることを特徴とするストロー付き飲料容器。
【請求項２】
ストローは容器の形状に追随して屈曲可能な屈曲機構、または容器形状に追随して屈曲可能な可撓性を有していることを特徴とする請求項１に記載のストロー付き飲料容器。
【請求項３】
ノズル内側においてシール部が凸形状となってノズル径を一部狭めていることを特徴とする請求項１または請求項２に記載のストロー付き飲料容器。
【請求項４】
容器が３方シールによって形成され、ストローに沿った面は非シール辺によって形成されていることを特徴とする請求項１〜請求項３のいずれかに記載のストロー付き飲料容器。
【請求項５】
ノズル側面のシール部には開封用の切込みを設けてあることを特徴とする請求項１〜請求項４のいずれかに記載のストロー付き飲料容器。
【請求項６】
容器の胴部外側にＶ字状の山折り罫線が設けてあることを特徴とする請求項１〜請求項５のいずれかに記載のストロー付き飲料容器。
【発明の詳細な説明】
【技術分野】
【０００１】
本発明は容器に関するものである。特に容器にストローが内包されている飲料容器に関するものである。
【背景技術】
【０００２】
飲料容器は、さまざまな材質、形態のものがあるが、たとえば紙容器であれば牛乳用の紙パックをはじめ、乳飲料、果汁、茶、コーヒー飲料、酒類、液体調味料などさまざまな用途に使われ、現代の生活に必要不可欠の存在となっている。
【０００３】
また飲料紙容器はその内容物、容量、大きさに応じて注出方法も異なっており、比較的小さいものにはストローを用いるものや、あるいはストローが容器に付帯しているものも少なくない。
【０００４】
ストローが液体容器に付帯してる場合には、袋に入れて容器外側に貼り付けるなどしているものがある。この場合、消費者は袋を破袋してストローを取り出し、容器にストローの専用の差込口がある場合には、そこからストローを差し入れて内容物を飲むことができる。
【０００５】
あるいは、容器のシール部を剥がすなどして開口部を作りそこからストローを差し入れて内容物を飲むことができる。
【０００６】
一般に、このストローを装着する作業は、煩雑で特に小児には困難な場合が多い。さらに、ストローの長さによっては、容器の中に埋没してしまい、飲むのに支障をきたすといったことも起こる。
【０００７】
下記特許文献１に提案されているように、ストローを紙容器に内包して、紙容器の一部を切断してストローの吸い口部を露出させ、飲用に供するという提案もなされているが、ストローを固定するための膜を設ける必要がある上、ストローが紙容器中に埋没する可能性は排除できず、ストローの固定機構が充分とは言えないため、内容物の飲料を飲みにくいという問題がある。
【先行技術文献】
【特許文献】
【０００８】
【特許文献１】実開昭５１−１０６６３９号公報
【発明の概要】
【発明が解決しようとする課題】
【０００９】
本発明はこのような状況に鑑みてなされたものであり、飲料容器において、容易にストローで内容物を飲むことが可能な機構をそなえた飲料容器を提供することを課題とする。
【課題を解決するための手段】
【００１０】
上記の課題を解決するための手段として、請求項１に記載の発明は、シーラント層を有し、紙またはプラスチックフィルムまたはそれらの積層体から構成される容器であって、上部シール部と下部シール部が互いに直交する方向にシールされており、上部シール部の隅には更に上部に突き出た筒状のノズルが設けてあり、該ノズルの内側にはストローが固定されており、ノズルを破壊、開封してストロー吸い口部を露出させることができ、反対側のストロー先端は容器底部に達していることを特徴とするストロー付き飲料容器である
。
【００１１】
また、請求項２に記載の発明は、ストローは容器の形状に追随して屈曲可能な屈曲機構、または容器形状に追随して屈曲可能な可撓性を有していることを特徴とする請求項１に記載のストロー付き飲料容器である。
【００１２】
また、請求項３に記載の発明は、ノズル内側においてシール部が凸形状となってノズル径を一部狭めていることを特徴とする請求項１または請求項２に記載のストロー付き飲料容器である。
【００１３】
また、請求項４に記載の発明は、容器が３方シールによって形成され、ストローに沿った面は非シール辺によって形成されていることを特徴とする請求項１〜請求項３のいずれかに記載のストロー付き飲料容器である。
【００１４】
また、請求項５に記載の発明は、ノズル側面のシール部には開封用の切込みを設けてあることを特徴とする請求項１〜請求項４のいずれかに記載のストロー付き飲料容器である。
【００１５】
また、請求項６に記載の発明は、容器の胴部外側にＶ字状の山折り罫線が設けてあることを特徴とする請求項１〜請求項５のいずれかに記載のストロー付き飲料容器である。
【発明の効果】
【００１６】
本発明によれば、飲料容器において、容易にストローで内容物を飲むことが可能な機構をそなえたストロー付き飲料容器を提供することが可能である。
【００１７】
請求項２に記載の発明によれば、ストローが容器内部で安定して固定的であることを可能にすることができる。
【００１８】
請求項３に記載の発明によれば、ストローの容器への固定をより確実にすることが出来る。
【００１９】
請求項４に記載の発明によれば、ストローの容器への固定をより確実にし、かつストローのつぶれも防止することができる。
【００２０】
請求項５に記載の発明によれば、より容易に開封して内容物の飲料を飲むことのできる容器を提供することができる。
【００２１】
請求項６に記載の発明によれば、ストローによる吸出しがより容易である飲料用容器を提供することができる。
【図面の簡単な説明】
【００２２】
【図１】図１は本発明に係るストロー付き飲料容器の一実施例を説明する模式図であって、内容物充填前の状態を表す。
【図２】図２は本発明に係るストロー付き飲料容器の他の実施例を説明するためのノズル部を示す模式図である。
【図３】図３は本発明に係るストロー付き飲料容器の一実施例を説明する模式図であって、内容物を充填した後の状態を表す。
【図４】図４は本発明に係るストロー付き飲料容器の一実施例を説明する模式図であって、内容物を吸い出している状態を表す。
【発明を実施するための形態】
【００２３】
以下本発明を図１〜図４を参照しながら詳細に説明する。ただし、本発明はこれらの例にのみ限定されるものではない。
【００２４】
図１は本発明に係るストロー付き飲料容器の一実施例を説明する模式図であって、内容物充填前の状態を表す。本発明によるストロー付き飲料容器（１０）はその材質は紙またはプラスチックフィルムまたはそれらの積層体を用いて構成され、袋状に加工するためのシーラント層を、容器内側になる表面または表裏両方の表面に有する。
【００２５】
またストロー付き飲料容器（１０）は容器内側にストロー（６）を内包しており、充填用開口部（１１）を残して上部シール部（１）および側部シール部（２）、およびノズルシール部（３）によって袋状に加工されている。ストローが飲料容器に内包されていることにより、衛生的でかつストローを容器外側に付帯させるための資材や手間を省くことができる。
【００２６】
ストロー（６）には、ノズル（４）の根元付近に屈曲機構（７）を設けることができる。屈曲機構（７）はたとえばストロー（６）の一部を蛇腹状にしたものなどが知られており、用いることができる。したがって、飲料容器内側にセットするときには、直線状に伸びた状態でセットしてよい。またストロー先端（９）は容器底部にあたる位置に達している。
【００２７】
容器は内容物充填前は折りたたまれ、略平面の状態であり、充填用開口部（１１）を有する。充填は、図１のストロー付き飲料容器（１０）の天地を逆転して配置して、充填用開口部（１１）から充填方向（１２）にしたがって垂直に落下する形で行なわれる。
【００２８】
ノズル（４）はノズルシール部（３）によって筒状に形成されており、その内径はストロー（６）の外径より若干大きめに設計される。これはノズル（４）内側にストロー吸い口部（１６）に近い部分を内包するためである。
【００２９】
またノズルシール部（３）には、その一部に図２に示す凸形シール部（１３）を設けることができ、この凸形シール部（１３）によってノズル（４）の内径が狭められることになり、固定力を向上させることができ、ストロー（６）のノズル（４）への固定をより確実にすることが可能である。凸形シール部（１３）はノズルシール部（３）に１箇所以上設けることができる。
【００３０】
また本発明によるストロー付き飲料容器は（１０）、シーラント層によって縁辺部をシールして袋状に加工されるが、３方シールの形状の容器とすることができる。さらに容器の四角形４辺のうちシールされる３辺を除く、折り返し辺である非シール辺にあわせてストロー（６）を沿わせた配置にする。
【００３１】
こうすることによって、特にノズル（４）内部でのストロー（６）の固定を容易にし、同時につぶれを防止することが可能である。これは折り返し辺である非シール辺においては、容器の材質の反発弾性によって非シール辺の縁辺部が丸みを帯びていることによる効果である。ノズルが両側をシールされて構成されている場合に比べると、空間が確保されストローがつぶれにくい効果を有する。
【００３２】
図３は本発明に係るストロー付き飲料容器の一実施例を説明する模式図であって、内容物を充填した後の状態を表す。内容物（１４）が図３のストロー付き飲料容器（１０）の天地を逆転して充填された後、容器の底部シール部（１５）がシールされて密封され、天地を戻される。
【００３３】
このとき、上部シール部（１）と底部シール部（１５）の方向を互いに直交する方向にしておくことによって容器の立体化を可能にする。また充填によって図１に示したＶ字状の山折罫線（８）にそって容器胴部が折れ曲がり、容器を三角錐の立体形状にすることが可能である。Ｖ字状の山折り罫線（８）は容器の胴部表側および裏側の両方に設けることが好ましい。
【００３４】
また飲料容器が三角錐であることにより、平面的な容器に比べて容器の容量を大きくすることができることに加えて、内容物の飲料を吸いだした際にも容器がつぶれにくく、ストローによる吸出しが最後まで容易であることを可能にする。
【００３５】
ストロー（６）には屈曲機構（７）を設けることができ、これは充填によって容器が立体化し変形したときに、この屈曲機構（７）によってストロー（６）が折れ曲がって容器内面に追随することが可能である。あるいは、ストローの材質を、この容器の変形に追随できるよう十分な可撓性をもったものを選択するのでもよい。
図４は本発明に係るストロー付き飲料容器の一実施例を説明する模式図であって、内容物を吸い出している状態を表す。
【００３６】
ノズル（４）の容器内側にはストロー（６）は固定されており、ノズルシール部（３）に設けられた切込み（５）をきっかけにしてノズルを破壊、開封することによって、ストロー吸い口部（１６）を露出させることができる。この作業は切込み（５）を利用することによって、指などを使って行なうことがより容易となる。
【００３７】
このようにして内容物である飲料をストロー吸い口部（１６）から飲むことができる。ストロー（６）はストロー先端（９）が容器底部に達しているために、内容物（１４）を残すことなくストロー吸い口部（１６）から吸い取ることができる。
【００３８】
本発明によるストロー付き飲料容器（１０）は袋状に加工するためのシーラント層を、容器内側になる表面または表裏両方の表面に有していれば、その材質は紙またはプラスチックフィルムまたはそれらの積層体を用いることができる。
【００３９】
また内容物によって長期保存性の向上などを目的として、飲料容器にガスバリア性などが必要とされる場合には、ガスバリアフィルムなどを用いた積層体としても良く、積層体にガスバリア層としてアルミニウム箔などの金属箔を含んでも良い。
【００４０】
このように本発明によれば、飲料容器において、容易にストローで内容物を飲むことが可能な機構をそなえた飲料容器を提供することが可能である。
【符号の説明】
【００４１】
１・・・上部シール部
２・・・側部シール部
３・・・ノズルシール部
４・・・ノズル
５・・・切込み
６・・・ストロー
７・・・屈曲機構
８・・・山折り罫線
９・・・ストロー先端
１０・・・ストロー付き飲料容器
１１・・・充填用開口部
１２・・・充填方向
１３・・・凸形シール部
１４・・・内容物
１５・・・底部シール部
１６・・・ストロー吸い口部
【図１】
2016150748.tif 000003
【図２】
2016150748.tif 000004
【図３】
2016150748.tif 000005
【図４】
2016150748.tif 000006